(57)【要約】      （修正有）【課題】大きな調光幅で調光することができる調光装置を提供する。【解決手段】調光装置は、窓部（リアウィンドウ１９）に配される調光装置１であって、所定の並設方向Ｐに沿って複数並んで配され、並設方向Ｐに伸縮可能である伸縮部材２と、伸縮部材２を伸縮させる伸縮機構３とを備え、伸縮機構３により複数の伸縮部材２が並設方向に伸縮され、複数の伸縮部材２の隣り合う間隔が調整される。【選択図】図１
2015178339.tif 000002
【特許請求の範囲】
【請求項１】
窓部に配される調光装置であって、
所定の並設方向に沿って複数並んで配され、該並設方向に伸縮可能である伸縮部材と、
前記伸縮部材を伸縮させる伸縮機構と、を備えることを特徴とする調光装置。
【請求項２】
前記伸縮部材は、前記並設方向と交差する方向に伸縮することで前記並設方向に伸縮可能であり、前記伸縮機構は、前記伸縮部材を前記並設方向と交差する方向に伸縮させる請求項１記載の調光装置。
【請求項３】
前記伸縮部材は、布材から形成されている請求項２記載の調光装置。
【請求項４】
前記伸縮部材を支持する支持体と、前記支持体及び前記伸縮部材を巻き取り可能な巻取機構と、を備える請求項１乃至３のいずれか一項に記載の調光装置。
【発明の詳細な説明】
【技術分野】
【０００１】
本発明は、調光装置に関し、さらに詳しくは、大きな調光幅で調光することができる調光装置に関する。
【背景技術】
【０００２】
従来の調光装置として、窓部に配されて調光可能なものが知られている（例えば、特許文献１参照）。この特許文献１には、布材の張力を調整することで、布目の大きさを変化させて光透過率を調整（すなわち、調光）する技術が開示されている。
【０００３】
しかし、上記特許文献１の技術では、布材を構成する縦糸及び横糸が比較的細く、各糸を張れる幅にも限界があるため調光幅が低いものであった。
【先行技術文献】
【特許文献】
【０００４】
【特許文献１】特開２００８−７０５８号公報
【発明の概要】
【発明が解決しようとする課題】
【０００５】
本発明は、上記現状に鑑みてなされたものであり、大きな調光幅で調光することができる調光装置を提供することを目的とする。
【課題を解決するための手段】
【０００６】
上記問題を解決するために、請求項１に記載の発明は、窓部に配される調光装置であって、所定の並設方向に沿って複数並んで配され、該並設方向に伸縮可能である伸縮部材と、前記伸縮部材を伸縮させる伸縮機構と、を備えることを要旨とする。
請求項２に記載の発明は、請求項１記載において、前記伸縮部材は、前記並設方向と交差する方向に伸縮することで前記並設方向に伸縮可能であり、前記伸縮機構は、前記伸縮部材を前記並設方向と交差する方向に伸縮させることを要旨とする。
請求項３に記載の発明は、請求項２記載において、前記伸縮部材は、布材から形成されていることを要旨とする。
請求項４に記載の発明は、請求項１乃至３のいずれか一項に記載において、前記伸縮部材を支持する支持体と、前記支持体及び前記伸縮部材を巻き取り可能な巻取機構と、を備えることを要旨とする。
【発明の効果】
【０００７】
本発明の調光装置によると、所定の並設方向に沿って複数並んで配され、並設方向に伸縮可能である伸縮部材と、伸縮部材を伸縮させる伸縮機構と、を備える。そして、伸縮機構により複数の伸縮部材が並設方向に伸縮され、複数の伸縮部材の隣り合う間隔が調整される。これにより、大きな調光幅で調光することができる。
また、前記伸縮部材が、前記並設方向と交差する方向に伸縮することで前記並設方向に伸縮可能であり、前記伸縮機構が、前記伸縮部材を前記並設方向と交差する方向に伸縮させる場合は、複数の伸縮部材は、伸縮機構により並設方向と交差する方向に伸縮されることで並設方向に伸縮される。これにより、伸縮部材の伸縮性を高めて調光幅を更に大きくできるとともに、伸縮機構を簡易且つ小型な構造にできる。
また、前記伸縮部材が、布材から形成されている場合は、伸縮部材の伸縮性を高めて調光幅を更に大きくできる。
さらに、前記伸縮部材を支持する支持体と、前記支持体及び前記伸縮部材を巻き取り可能な巻取機構と、を備える場合は、巻取機構で支持体及び伸縮部材を巻き取ることで、伸縮部材を使用状態から収納状態とすることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るサンシェード装置の正面図であり、（ａ）は伸縮部材が上下方向に短縮して左右方向に伸長した状態を示し、（ｂ）は伸縮部材が上下方向に伸長して左右方向に短縮した状態を示す。
【図２】図１のＩＩ−ＩＩ線断面図であり、（ａ）は伸縮部材が上下方向に短縮して左右方向に伸長した状態を示し、（ｂ）は伸縮部材が上下方向に伸長して左右方向に短縮した状態を示し、（ｃ）は支持体及び伸縮部材が巻き取られた状態を示す。
【図３】上記サンシェード装置の要部斜視図であり、（ａ）は伸縮部材が上下方向に短縮して左右方向に伸長した状態を示し、（ｂ）は伸縮部材が上下方向に伸長して左右方向に短縮した状態を示す。
【図４】上記サンシェード装置の使用状態を示す斜視図である。
【図５】実施例２に係るサンシェード装置の正面図であり、（ａ）は伸縮部材が上下方向に短縮して左右方向に伸長した状態を示し、（ｂ）は伸縮部材が上下方向に伸長して左右方向に短縮した状態を示す。
【図６】図２のＶＩ−ＶＩ線断面図であり、（ａ）は伸縮部材が上下方向に短縮して左右方向に伸長した状態を示し、（ｂ）は伸縮部材が上下方向に伸長して左右方向に短縮した状態を示す。
【図７】上記サンシェード装置の要部斜視図であり、（ａ）は伸縮部材が上下方向に短縮して左右方向に伸長した状態を示し、（ｂ）は伸縮部材が上下方向に伸長して左右方向に短縮した状態を示す。
【図８】実施例３に係るカーテン装置の正面図であり、（ａ）は伸縮部材が左右方向に短縮して上下方向に伸長した状態を示し、（ｂ）は伸縮部材が左右方向に伸長して上下方向に短縮した状態を示す。
【図９】その他の形態の伸縮部材を説明するための説明図である。
【図１０】更にその他の形態の伸縮部材を説明するための説明図であり、（ａ）は伸縮部材が上下方向に短縮して左右方向に伸長した状態を示し、（ｂ）は伸縮部材が上下方向に伸長して左右方向に短縮した状態を示す。
【図１１】更にその他の形態の伸縮部材を説明するための説明図であり、（ａ）は伸縮部材が上下方向に短縮して左右方向に伸長した状態を示し、（ｂ）は伸縮部材が上下方向に伸長して左右方向に短縮した状態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜調光装置＞
本実施形態に係る調光装置は、窓部（１９）に配される調光装置（１、２１、４１）であって、所定の並設方向（Ｐ）に沿って複数並んで配され、並設方向（Ｐ）に伸縮可能である伸縮部材（２、２’、２２、２２’、５２）と、伸縮部材を伸縮させる伸縮機構（３、２３、４３）と、を備える（例えば、図１、図５及び図８等参照）。
【００１１】
なお、上記伸縮部材が並設方向に最大伸長した状態での隣り合う伸縮部材の間隔としては、例えば、０〜４０ｍｍを挙げることができる。また、上記伸縮部材が並設方向に最大短縮した状態での隣り合う伸縮部材の間隔としては、例えば、１０〜５０ｍｍを挙げることができる。
【００１２】
本実施形態に係る調光装置としては、例えば、上記伸縮部材（２、２’、２２、２２’、５２）は、並設方向（Ｐ）と交差する方向（Ｑ）に伸縮することで並設方向（Ｐ）に伸縮可能であり、上記伸縮機構（３、２３、４３）は、伸縮部材（２、２’、２２、２２’、５２）を並設方向（Ｐ）と交差する方向（Ｑ）に伸縮させる形態（例えば、図１、図５及び図８等参照）を挙げることができる。
【００１３】
上述の形態の場合、例えば、上記伸縮部材（２、２’、２２、２２’、５２）は、布材から形成されていることができる。なお、上記「布材」は、所望の伸縮性を有する限り、その種類、形状、材質等は特に問わない。この布材は、伸縮糸から構成されることが好ましい。また、布材としては、例えば、織物、編物、不織布、組紐（組物）等を挙げることができる。
【００１４】
本実施形態に係る調光装置としては、例えば、上記伸縮部材（２、２’、２２、２２’）を支持する支持体（４、２４）と、支持体及び伸縮部材を巻き取り可能な巻取機構（５、２５）と、を備える形態（例えば、図２及び図６等参照）を挙げることができる。
【００１５】
上述の形態の場合、例えば、上記支持体（４）は、筒状の伸縮部材（２、２’）の内周側に挿通される支持柱（１４）を備えることができる（例えば、図３等参照）。これにより、支持柱が伸縮部材で隠されるため、意匠性の低下を防止できる。また、支持体を簡易且つ小型な構造にできる。また、例えば、上記支持体（２４）は、伸縮部材（２２、２２’）を収容する収容空間（Ｓ）が形成された透明又は半透明のシート部材（３４）を備えることができる（例えば、図７等参照）。これにより、支持体で伸縮部材をより確実に支持できる。
【００１６】
上述の形態の場合、例えば、上記伸縮機構（３、２３）は、伸縮部材（２、２’、２２、２２’、５２）の一端側が取り付けられて伸縮部材を伸縮させる回転軸（１１、３１）を備え、上記巻取機構（５、２５）は、支持体（４、２４）の一端側が取り付けられて支持体及び伸縮部材を巻き取り可能な筒状の巻取軸（１６、３６）を備え、回転軸（１１、３１）は、巻取軸（１６、３６）の内周側で同心となるように配されていることができる（例えば、図２及び図６等参照）。これにより、伸縮機構及び巻取機構を簡易且つ小型な構造にできる。
【００１７】
なお、上記実施形態で記載した各構成の括弧内の符号は、後述する実施例に記載の具体的構成との対応関係を示すものである。
【実施例】
【００１８】
以下、図面を用いて実施例により本発明を具体的に説明する。
【００１９】
＜実施例１＞
本実施例１では、本発明に係る「調光装置」として、車両のリアウィンドウ１９（本発明に係る「窓部」として例示する。）に配されるサンシェード装置１を例示する（図４参照）。なお、図４中の符号「Ｒ」は、リアシートを示す。
【００２０】
（１）サンシェード装置の構成
本実施例に係るサンシェード装置１は、図１〜図３に示すように、所定の並設方向Ｐ（以下、「左右方向Ｐ」とも称する。）に沿って複数並んで配される伸縮部材２と、これら各伸縮部材２を伸縮させる伸縮機構３と、を備えている。このサンシェード装置１は、伸縮部材２を支持する支持体４と、この支持体４及び伸縮部材２を巻き取り可能な巻取機構５と、を備えている。
【００２１】
上記伸縮部材２は、筒状の布材から形成されている。この伸縮部材２は、左右方向Ｐと略直交する方向Ｑ（以下、「上下方向Ｑ」とも称する。）に伸縮することで左右方向Ｐに伸縮可能とされている。具体的に、伸縮部材２は、上下方向Ｑ（すなわち、伸縮部材２の軸方向）に短縮することで左右方向Ｐ（すなわち、伸縮部材２の径方向）に伸長する一方、上下方向Ｑに伸長することで左右方向Ｐに短縮する。また、伸縮部材２の上端側は、左右方向Ｐに延びる外枠部７に取り付けられている。この外枠部７の長手方向の両端側には、スライダ８（図１参照）が取り付けられている。このスライダ８は、上下方向Ｑに延びるレール９にスライド自在に支持されている。
【００２２】
上記伸縮機構３は、伸縮部材２の下端側が取り付けられる回転軸１１を備えている。具体的に、回転軸１１には、伸縮部材２の下端側から延設される紐状の連絡部１２の端部が取り付けられている。また、回転軸１１は、駆動モータ（図示省略）の駆動により正逆方向に回動可能とされている。そして、回転軸１１の回動により伸縮部材２が回転軸１１に巻き取られたり、巻き戻されたりすることで、伸縮部材２が上下方向Ｑに伸縮される（図２（ａ）（ｂ）参照）。
【００２３】
上記支持体４は、各伸縮部材２の内周側に挿通される複数の支持柱１４を備えている。これら各支持柱１４は、伸縮部材２の伸縮を案内する機能を有している。また、各支持柱１４は、後述する巻取軸に巻き取り可能な柔軟性を有する材質から形成されている。さらに、各支持柱１４の上端側は、外枠部７に取り付けられている。
【００２４】
上記巻取機構５は、各支持柱１４の下端側が取り付けられて各支持柱１４を巻き取り可能な筒状の巻取軸１６を備えている。この巻取軸１６は、駆動モータ（図示省略）の駆動により正逆方向に回動可能とされている。そして、巻取軸１６の回動により伸縮部材２及び支持体４が巻取軸１６に巻き取られたり、巻き戻されたりすることで、伸縮部材２が使用状態Ａ（図２（ａ）（ｂ）参照）と収納状態Ｂ（図２（ｃ）参照）との間で変更可能とされている。
【００２５】
なお、上記支持体４は、バネ等の付勢手段（図示省略）により巻取軸１６から巻き戻される方向（すなわち、伸縮部材２が使用状態Ａとなる方向）に常時付勢されている。また、上記回転軸１１は、巻取軸１６の内周側で同心となるように配されている（図２参照）。さらに、上記巻取軸１６には、伸縮部材２の下端側（連絡部１２）が挿通する開口１７が形成されている（図３参照）。
【００２６】
（２）サンシェード装置の作用
次に、上記構成のサンシェード装置１の作用について説明する。図３（ａ）に示すように、伸縮部材２が左右方向Ｐに伸長（拡張）した状態では、隣り合う伸縮部材２の間隔が比較的小さい又は零であるため、リアウィンドウ１９にて車内に入り込む光や紫外線の量が少なくなる。この状態より、回転軸１１の巻取り方向への回転により伸縮部材２の一端側を回転軸１１に巻き取って、伸縮部材２を上下方向Ｑに伸長させる。すると、図３（ｂ）に示すように、伸縮部材２が左右方向Ｐに短縮される。この状態では、隣り合う伸縮部材２の間隔が比較的大きいため、リアウィンドウ１９にて車内に入り込む光や紫外線の量が多くなる。
【００２７】
一方、巻取軸１６及び回転軸１１の巻取り方向への回転により伸縮部材２及び支持体４を巻取軸１６に巻き取ることで、伸縮部材２は、使用状態Ａから収納状態Ｂへ変更される（図２（ｃ）参照）。なお、上記巻取軸１６及び回転軸１１を巻戻し方向に回転させれば、支持体４に常時かかる付勢力により、伸縮部材２は、収納状態Ｂから使用状態Ａへ変更される。
【００２８】
（３）実施例の効果
以上より、本実施例のサンシェード装置１によると、所定の並設方向Ｐに沿って複数並んで配され、並設方向Ｐに伸縮可能である伸縮部材２と、伸縮部材２を伸縮させる伸縮機構３と、を備える。そして、伸縮機構３により複数の伸縮部材２が並設方向Ｐに伸縮され、複数の伸縮部材２の隣り合う間隔が調整される。これにより、大きな調光幅で調光することができる。
【００２９】
ここで、従来一般の車両用サンシェード装置としては、日よけのＯＮ／ＯＦＦしか機能がないものが多く、気候や天候の変化によって車内に入り込む光や紫外線の量をコントロールできなかった。多くの女性は紫外線を嫌い、曇りの日でも直射日光に肌を曝すことを避けている。本実施例のサンシェード装置１は、直射日光に肌を曝さずに光や紫外線の量をコントロールすることが可能であり、尚かつ夜間などの運転でも後続車のライトの眩しさを軽減したり、暗い場所での視界を確保するなどの調節ができる。
【００３０】
また、本実施例では、伸縮部材２は、並設方向Ｐと交差する方向Ｑに伸縮することで並設方向Ｐに伸縮可能であり、伸縮機構３は、伸縮部材２を並設方向Ｐと交差する方向Ｑに伸縮させる。これにより、複数の伸縮部材２は、伸縮機構３により並設方向Ｐと交差する方向Ｑに伸縮されることで並設方向Ｐに伸縮される。よって、伸縮部材２の伸縮性を高めて調光幅を更に大きくできるとともに、伸縮機構３を簡易且つ小型な構造にできる。
【００３１】
また、本実施例では、伸縮部材２は、布材から形成されている。これにより、伸縮部材２の伸縮性を高めて調光幅を更に大きくできる。
【００３２】
また、本実施例では、伸縮部材２を支持する支持体４と、支持体４及び伸縮部材２を巻き取り可能な巻取機構５と、を備える。これにより、巻取機構５で支持体４及び伸縮部材２を巻き取ることで、伸縮部材２を使用状態Ａから収納状態Ｂとすることができる。
【００３３】
また、本実施例では、支持体４は、筒状の伸縮部材２の内周側に挿通される支持柱１４を備える。これにより、支持柱１４が伸縮部材２で隠されるため、意匠性の低下を防止できる。また、支持体４を簡易且つ小型な構造にできる。
【００３４】
さらに、本実施例では、伸縮機構３は、伸縮部材２の一端側が取り付けられて伸縮部材２を伸縮させる回転軸１１を備え、巻取機構５は、支持体４の一端側が取り付けられて支持体４及び伸縮部材２を巻き取り可能な筒状の巻取軸１６を備え、回転軸１１は、巻取軸１６の内周側で同心となるように配されている。これにより、伸縮機構３及び巻取機構５を簡易且つ小型な構造にできる。
【００３５】
＜実施例２＞
本実施例２では、本発明に係る「調光装置」として、車両のリアウィンドウ（本発明に係る「窓部」として例示する。）に配されるサンシェード装置を例示する。
【００３６】
（１）サンシェード装置の構成
本実施例に係るサンシェード装置２１は、図５〜図７に示すように、所定の並設方向Ｐ（以下、「左右方向Ｐ」とも称する。）に沿って複数並んで配される伸縮部材２２と、これら各伸縮部材２２を伸縮させる伸縮機構２３と、を備えている。このサンシェード装置２１は、伸縮部材２２を支持する支持体２４と、この支持体２４及び伸縮部材２２を巻き取り可能な巻取機構２５と、を備えている。
【００３７】
上記伸縮部材２２は、筒状の布材から形成されている。この伸縮部材２２は、左右方向Ｐと略直交する方向Ｑ（以下、「上下方向Ｑ」とも称する。）に伸縮することで左右方向Ｐに伸縮可能とされている。具体的に、伸縮部材２２は、上下方向Ｑ（すなわち、伸縮部材２２の軸方向）に短縮することで左右方向Ｐ（すなわち、伸縮部材２２の径方向）に伸長する一方、上下方向Ｑに伸長することで左右方向Ｐに短縮する。また、伸縮部材２２の上端側は、左右方向Ｐに延びる外枠部２７に取り付けられている。この外枠部２７の長手方向の両端側には、スライダ２８（図５参照）が取り付けられている。このスライダ２８は、上下方向Ｑに延びるレール２９にスライド自在に支持されている。
【００３８】
上記伸縮機構２３は、伸縮部材２２の下端側が取り付けられる回転軸３１を備えている。具体的に、回転軸３１には、伸縮部材２２の一端側から延設される紐状の連絡部３２の端部が取り付けられている。また、回転軸３１は、駆動モータ（図示省略）の駆動により正逆方向に回動可能とされている。そして、回転軸３１の回動により伸縮部材２２が回転軸３１に巻き取られたり、巻き戻されたりすることで、伸縮部材２２が上下方向Ｑに伸縮される（図６（ａ）（ｂ）参照）。
【００３９】
上記支持体２４は、伸縮部材２２を収容する収容空間Ｓが形成された透明又は半透明のシート部材３４を備えている（図７参照）。このシート部材３４は、前後一対の分割シート部材３４ａ、３４ｂを貼り合わせて構成されている。このシート部材３４の収容空間Ｓは、伸縮部材２２の伸縮を案内する機能を有している。また、シート部材３４は、後述する巻取軸に巻き取り可能な柔軟性を有する材質から形成されている。さらに、シート部材３４の上端側は、外枠部２７に取り付けられている。
【００４０】
上記巻取機構２５は、シート部材３４の下端側が取り付けられてシート部材３４及び伸縮部材２２を巻き取り可能な筒状の巻取軸３６を備えている。この巻取軸３６は、駆動モータ（図示省略）の駆動により正逆方向に回動可能とされている。そして、巻取軸３６の回動により伸縮部材２２及び支持体２４が巻取軸３６に巻き取られたり、巻き戻されたりすることで、伸縮部材２２が使用状態Ａ（図６（ａ）（ｂ）中に実線で示す。）と収納状態Ｂ（図６（ｂ）中に仮想線で示す。）との間で変更可能とされている。
【００４１】
なお、上記支持体２４は、バネ等の付勢手段（図示省略）により巻取軸３６から巻き戻される方向（すなわち、伸縮部材２２が使用状態Ａとなる方向）に付勢されている。また、上記回転軸３１は、巻取軸３６の内周側で同心となるように配されている（図６参照）。さらに、上記巻取軸３６には、伸縮部材２２の下端側（連絡部３２）が挿通する開口３７が形成されている（図６参照）。
【００４２】
（２）サンシェード装置の作用
次に、上記構成のサンシェード装置２１の作用について説明する。図７（ａ）に示すように、伸縮部材２２が左右方向Ｐに伸長（拡張）した状態では、隣り合う伸縮部材２２の間隔が比較的小さい又は零であるため、リアウィンドウにて車内に入り込む光や紫外線の量が少なくなる。この状態より、回転軸３１の巻取り方向への回転により伸縮部材２２の一端側を回転軸３１に巻き取って、伸縮部材２２を上下方向Ｑに伸長させる。すると、図７（ｂ）に示すように、伸縮部材２２が左右方向Ｐに短縮される。この状態では、隣り合う伸縮部材２２の間隔が比較的大きいため、リアウィンドウにて車内に入り込む光や紫外線の量が多くなる。
【００４３】
一方、巻取軸３６及び回転軸３１の巻取り方向の回転により伸縮部材２２及び支持体２４を巻取軸３６に巻き取ることで、伸縮部材２２は、使用状態Ａから収納状態Ｂへ変更される（図６参照）。なお、上記巻取軸３６及び回転軸３１を巻戻し方向に回転させれば、支持体２４に常時かかる付勢力により、伸縮部材２２は、収納状態Ｂから使用状態Ａへ変更される。
【００４４】
（３）実施例の効果
以上より、本実施例のサンシェード装置２１によると、所定の並設方向Ｐに沿って複数並んで配され、並設方向Ｐに伸縮可能である伸縮部材２２と、伸縮部材２２を伸縮させる伸縮機構２３と、を備える。そして、伸縮機構２３により複数の伸縮部材２２が並設方向Ｐに伸縮され、複数の伸縮部材２２の隣り合う間隔が調整される。これにより、大きな調光幅で調光することができる。
【００４５】
ここで、従来一般の車両用サンシェード装置としては、日よけのＯＮ／ＯＦＦしか機能がないものが多く、気候や天候の変化によって車内に入り込む光や紫外線の量をコントロールできなかった。多くの女性は紫外線を嫌い、曇りの日でも直射日光に肌を曝すことを避けている。本実施例のサンシェード装置２１は、直射日光に肌を曝さずに光や紫外線の量をコントロールすることが可能であり、尚かつ夜間などの運転でも後続車のライトの眩しさを軽減したり、暗い場所での視界を確保するなどの調節ができる。
【００４６】
また、本実施例では、伸縮部材２２は、並設方向Ｐと交差する方向Ｑに伸縮することで並設方向Ｐに伸縮可能であり、伸縮機構２３は、伸縮部材２２を並設方向Ｐと交差する方向Ｑに伸縮させる。これにより、複数の伸縮部材２２は、伸縮機構２３により並設方向Ｐと交差する方向Ｑに伸縮されることで並設方向Ｐに伸縮される。よって、伸縮部材２２の伸縮性を高めて調光幅を更に大きくできるとともに、伸縮機構２３を簡易且つ小型な構造にできる。
【００４７】
また、本実施例では、伸縮部材２２は、布材から形成されている。これにより、伸縮部材２２の伸縮性を高めて調光幅を更に大きくできる。
【００４８】
また、本実施例では、伸縮部材２２を支持する支持体２４と、支持体２４及び伸縮部材２２を巻き取り可能な巻取機構２５と、を備える。これにより、巻取機構２５で支持体２４及び伸縮部材２２を巻き取ることで、伸縮部材２２を使用状態Ａから収納状態Ｂとすることができる。
【００４９】
また、本実施例では、支持体２４は、伸縮部材２２を収容する収容空間Ｓが形成された透明又は半透明のシート部材３４を備える。これにより、支持体２４で伸縮部材２２をより確実に支持できる。
【００５０】
さらに、本実施例では、伸縮機構２３は、伸縮部材２２の一端側が取り付けられて伸縮部材を伸縮させる回転軸３１を備え、巻取機構２５は、支持体２４の一端側が取り付けられて支持体２４及び伸縮部材２２を巻き取り可能な筒状の巻取軸３６を備え、回転軸３１は、巻取軸３６の内周側で同心となるように配されている。これにより、伸縮機構２３及び巻取機構２５を簡易且つ小型な構造にできる。
【００５１】
＜実施例３＞
本実施例３では、本発明に係る「調光装置」として、車両のリアウィンドウ（本発明に係る「窓部」として例示する。）に配されるカーテン装置を例示する。また、実施例３に係るカーテン装置において、上記実施例１に係るサンシェード装置１と略同じ構成部位には同符号を付けて詳説を省略する。
【００５２】
（１）カーテン装置の構成
本実施例に係るカーテン装置４１は、図８に示すように、左右一対のカーテン機構４１ａ、４１ｂを備える。これら各カーテン機構４１ａ、４１ｂは、所定の並設方向Ｐ（以下、「上下方向Ｐ」とも称する。）に沿って複数並んで配される伸縮部材２と、これら各伸縮部材２を伸縮させる伸縮機構４３と、を備えている。また、各カーテン機構４１ａ、４１ｂは、伸縮部材２を支持する支持体４と、この支持体２及び伸縮部材４を巻き取り可能な巻取機構（図示省略）と、を備えている。なお、上記巻取機構としては、例えば、実施例１の巻取機構５を適用できる。
【００５３】
上記伸縮機構４３は、各伸縮部材２の中間部が連結された上下方向Ｐに延びる連結部材４４を備えている。この連結部材４４の長手方向の一端側には、スライダ４５が取り付けられている。このスライダ４５は、左右方向Ｑに延びるレール４６にスライド自在に支持されている。また、スライダ４６は、駆動モータ（図示省略）の駆動により正逆方向にスライド可能とされている。そして、スライダ４６のスライド移動により、伸縮部材２が並設方向Ｐと略直交する方向Ｑ（すなわち、左右方向Ｑ）に伸縮される。
【００５４】
（２）カーテン装置の作用
次に、上記構成のカーテン装置４１の作用について説明する。図８（ａ）に示すように、伸縮部材２が上下方向Ｐに伸長（拡張）した状態では、隣り合う伸縮部材２の間隔が比較的小さい又は零であるため、リアウィンドウにて車内に入り込む光や紫外線の量が少なくなる。この状態より、スライダ４５のスライド移動により伸縮部材２を左右方向Ｑに伸長させる。すると、図８（ｂ）に示すように、伸縮部材２が上下方向Ｐに短縮される。この状態では、隣り合う伸縮部材２の間隔が比較的大きいため、リアウィンドウにて車内に入り込む光や紫外線の量が多くなる。
【００５５】
（３）実施例の効果
以上より、本実施例のカーテン装置４１によると、上記実施例１のサンシェード装置１と略同じ作用・効果を奏することに加えて、上記伸縮機構４３は、連結部材４４及びスライダ４５を備えるので、伸縮部材２を並設方向Ｐと略直交する方向Ｑに円滑に伸縮させることができる。
【００５６】
尚、本発明においては、上記実施例に限られず、目的、用途に応じて本発明の範囲内で種々変更した実施例とすることができる。すなわち、上記実施例１〜３では、伸縮機構３、２３、４３により伸縮部材２、２２を並設方向Ｐ及び並設方向Ｐと交差する方向Ｑに伸縮させる形態を例示したが、これに限定されず、例えば、伸縮機構により伸縮部材を並設方向のみに伸縮させるようにしてもよい。例えば、袋状の伸縮部材を並設方向に並べて、伸縮機構により各伸縮部材に流体を給排することで伸縮部材を並設方向のみに伸縮させるようにしてもよい。
【００５７】
また、上記実施例１〜３では、筒状の伸縮部材２、２２を例示したが、これに限定されず、例えば、図９に示すように、支持柱５１が挿通する波状の伸縮部材５２としてもよい。この場合であっても、伸縮部材５２を並設方向Ｐと略直交する方向Ｑに伸縮させることで、伸縮部材５２が並設方向Ｐに伸縮される。
【００５８】
また、上記実施例１〜３では、円筒状の伸縮部材２、２２を例示したが、これに限定されず、例えば、図１０に示すように、並設方向Ｐと略直交する方向Ｑに短縮した状態で、折重ね状又は楕円筒状の伸縮部材２’としてもよい。また、例えば、図１１に示すように、板状の伸縮部材２２’としてもよい。
【００５９】
また、上記実施例１〜３では、所定の並設方向Ｐに略直交する方向に伸縮する伸縮部材２、２２を例示したが、これに限定されず、例えば、所定の並設方向Ｐに鋭角又は鈍角で交差する方向に伸縮する伸縮部材としてもよい。
【００６０】
また、上記実施例１〜３では、布材からなる伸縮部材２、２２を例示したが、これに限定されず、例えば、ゴム材からなる伸縮部材としてもよい。さらに、例えば、ラチス構造やテレスコピック構造からなる伸縮部材としてもよい。
【００６１】
また、上記実施例１、２のサンシェード装置１、２１において、実施例３の伸縮機構４３を採用してもよい。さらに、上記実施例３のカーテン装置４１において、実施例１、２の伸縮機構３、２３を採用してもよい。
【００６２】
また、上記実施例１〜３では、電動式の伸縮機構３、２３、４３や巻取機構５、２５を例示したが、これに限定されず、例えば、手動式の伸縮機構や巻取機構としてもよい。さらに、上記実施例１〜３では、巻取機構５、２５を備える装置１、２１を例示したが、これに限定されず、例えば、巻取機構５、２５を備えない装置１、２１としてもよい。
【００６３】
さらに、上記実施例１〜３では、車両の窓部に配される装置１、２１、４１を例示したが、これに限定されず、例えば、建物の窓部に配される装置としてもよい。なお、上記車両の窓部としては、例えば、サイドウィンドウ、リアウィンドウ、フロントウィンドウ、天井開口部等を挙げることができる。
【００６４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００６５】
本発明は上記で詳述した実施形態に限定されず、本発明の請求項に示した範囲で様々な変形または変更が可能である。
【産業上の利用可能性】
【００６６】
本発明は、窓部での調光機能を備える調光装置に関する技術として広く利用される。特に、車両用調光装置として好適に利用される。
【符号の説明】
【００６７】
１，２１；サンシェード装置、２，２’，２２，２２’，５２；伸縮部材、３，２３，４３；伸縮機構、４，２４；支持体、５，２５；巻取機構、１９；リアウィンドウ、４１；カーテン装置、Ｐ；並設方向、Ｑ；並設方向と交差する方向。
【図１】
2015178339.tif 000003
【図２】
2015178339.tif 000004
【図３】
2015178339.tif 000005
【図４】
2015178339.tif 000006
【図５】
2015178339.tif 000007
【図６】
2015178339.tif 000008
【図７】
2015178339.tif 000009
【図８】
2015178339.tif 000010
【図９】
2015178339.tif 000011
【図１０】
2015178339.tif 000012
【図１１】
2015178339.tif 000013